(57)【特許請求の範囲】
【請求項１】
インバータ装置本体部と、
前記インバータ装置本体部を覆う保護カバーとを備え、
前記インバータ装置本体部には、端子と、放熱用スリットとが設けられており、
前記保護カバーは、前記インバータ装置本体部の正面を覆う正面部分と、天面を覆う天面部分と、一方側面を覆う一方側面部分と、他方側面を覆う他方側面部分とを一体的に含み、前記端子と前記放熱用スリットとを覆うように構成されている、インバータ装置。
【請求項２】
前記保護カバーは、前記インバータ装置本体部に係合する第１係合部を有するとともに、前記インバータ装置本体部は、前記第１係合部に係合する第２係合部を有する、請求項１に記載のインバータ装置。
【請求項３】
前記インバータ装置本体部の前記第２係合部は、前記インバータ装置本体部の前記正面から前方に突出するように形成されている、請求項２に記載のインバータ装置。
【請求項４】
前記端子は、制御端子を含み、
前記保護カバーの前記正面部分は、前記インバータ装置本体部の正面に設けられる前記制御端子を覆うとともに、前記保護カバーの前記天面部分、前記一方側面部分、前記他方側面部分のうちの少なくとも前記天面部分は、前記インバータ装置本体部に設けられる前記放熱用スリットを覆うように構成されている、請求項１〜３のいずれか１項に記載のインバータ装置。
【請求項５】
前記保護カバーの前記正面部分には、締結部材により前記正面部分を前記インバータ装置本体部に固定するための締結用孔部が設けられている、請求項１〜４のいずれか１項に記載のインバータ装置。
【請求項６】
前記保護カバーの前記一方側面部分および前記他方側面部分のうちの少なくとも一方には、側面部分開口部が設けられている、請求項１〜５のいずれか１項に記載のインバータ装置。
【請求項７】
前記保護カバーの前記正面部分には、前記インバータ装置本体部の操作部を露出させる操作部用開口部が設けられている、請求項１〜６のいずれか１項に記載のインバータ装置。
【請求項８】
前記インバータ装置本体部と、前記保護カバーの前記一方側面部分および前記他方側面部分のうちの少なくとも一方との間には、隙間が設けられている、請求項１〜７のいずれか１項に記載のインバータ装置。
【発明の詳細な説明】
【技術分野】
【０００１】
この発明は、インバータ装置に関し、特に、インバータ装置本体部を覆う保護カバーを備えるインバータ装置に関する。
【背景技術】
【０００２】
従来、標準品のインバータ装置に対して保護等級を上げた安全規格に対応するために、インバータ装置本体部を覆う保護カバーをオプション品として備えるインバータ装置が知られている（たとえば、特許文献１参照）。
【０００３】
上記特許文献１には、インバータ装置本体部を備えるインバータ装置が開示されている。このインバータ装置本体部の両側面には、インバータ装置本体部の内部の空気を通気するための複数の通風窓（スリット）が設けられている。また、このインバータ装置では、通風窓を塞ぐためのブラインド板が設けられている。ブラインド板には、複数の爪が設けられている。そして、この複数の爪を通風窓の孔に嵌合させることにより、ブラインド板が通風窓に取り付けられる。また、ブラインド板は、複数の通風窓に対してそれぞれ個別に取り付けられている。
【先行技術文献】
【特許文献】
【０００４】
【特許文献１】特開平６−３０３７７８号公報
【発明の概要】
【発明が解決しようとする課題】
【０００５】
しかしながら、上記特許文献１に記載されたインバータ装置では、通風窓を塞ぐためのブラインド板が複数の通風窓に対してそれぞれ個別に取り付けられているため、ブラインド板（保護カバー）の部品点数が増加するとともに、ブラインド板（保護カバー）の取付作業性が悪いという問題点がある。
【０００６】
また、インバータ装置本体部のサイズおよび外形形状が同じでも、インバータ装置の容量に応じて通風窓の大きさ、通風窓を構成するスリット形状、スリット数、スリットの大きさ等が異なることがある。この場合、通風窓の大きさや通風窓を構成するスリット形状等に応じたブラインド板を複数種類準備する必要があり、さらに部品点数が増加するという問題がある。
【０００７】
この発明は、上記のような課題を解決するためになされたものであり、この発明の１つの目的は、保護カバーの部品点数が増加するのを抑制するとともに、保護カバーの取付作業性を向上させることが可能なインバータ装置を提供することである。
【課題を解決するための手段】
【０００８】
上記目的を達成するために、この発明の一の局面によるインバータ装置は、インバータ装置本体部と、インバータ装置本体部を覆う保護カバーとを備え、インバータ装置本体部には、端子と、放熱用スリットとが設けられており、保護カバーは、インバータ装置本体部の正面を覆う正面部分と、天面を覆う天面部分と、一方側面を覆う一方側面部分と、他方側面を覆う他方側面部分とを一体的に含み、端子と放熱用スリットとを覆うように構成されている。
【０００９】
この発明の一の局面によるインバータ装置では、上記のように、保護カバーは、インバータ装置本体部の正面を覆う正面部分と、天面を覆う天面部分と、一方側面を覆う一方側面部分と、他方側面を覆う他方側面部分とを一体的に含み、端子と放熱用スリットとを覆うように構成されている。これにより、１つの保護カバーによりインバータ装置本体部の正面、天面、一方側面および他方側面を覆うことができるので、保護カバーの部品点数が増加するのを抑制することができる。また、１つの保護カバーをインバータ装置本体部に取り付けるだけで、インバータ装置本体部の正面、天面、一方側面および他方側面を覆うことができるので、インバータ装置本体部の正面、天面、一方側面および他方側面にそれぞれ個別に保護カバーを取り付ける場合に比べて、保護カバーの取付作業性を向上させることができる。
【００１０】
上記一の局面によるインバータ装置において、好ましくは、保護カバーは、インバータ装置本体部に係合する第１係合部を有するとともに、インバータ装置本体部は、第１係合部に係合する第２係合部を有する。このように構成すれば、保護カバーの第１係合部をインバータ装置本体部の第２係合部に係合することにより、容易に、保護カバーをインバータ装置本体部に取り付けることができる。
【００１１】
この場合、好ましくは、インバータ装置本体部の第２係合部は、インバータ装置本体部の正面から前方に突出するように形成されている。このように構成すれば、複数のスリットに係合部を係合させて保護カバーを取り付ける場合と異なり、スリットの形状や大きさにかかわらず、第２係合部を第１係合部に係合させることにより、保護カバーをインバータ装置本体部に取り付けることができる。すなわち、インバータ装置の性能に応じて、放熱用のスリットを最適化（変形）させた場合でも、保護カバーの形状や大きさを変えずにインバータ装置本体部に取り付けることができる。また、インバータ装置本体部の正面から前方に突出する第２係合部を、保護カバーの第１係合部に係合させるだけで、インバータ装置本体部の正面、天面、一方側面および他方側面を覆うことができる。その結果、複数のスリットに個別に保護カバーを取り付ける場合と異なり、保護カバーの取り付け作業の作業性を向上させることができる。
【００１２】
上記一の局面によるインバータ装置において、好ましくは、上記端子は、制御端子を含み、保護カバーの正面部分は、インバータ装置本体部の正面に設けられる制御端子を覆うとともに、保護カバーの天面部分、一方側面部分、他方側面部分のうちの少なくとも天面部分は、インバータ装置本体部に設けられる放熱用スリットを覆うように構成されている。このように構成すれば、単一の保護カバーの正面部分により、制御端子を外部からの衝撃から保護できるとともに、少なくとも天面部分により、異物が上方から放熱用スリットを介してインバータ装置本体部に侵入するのを抑制することができる。
【００１３】
また、従来のインバータ装置本体部の正面（制御端子）を覆う正面カバー部材に連続するように天面部分、一方側面部分および他方側面部分を形成することによって、容易に、本発明の正面部分、天面部分、一方側面部分および他方側面部分を一体的に含む保護カバーを形成することができる。
【００１４】
上記一の局面によるインバータ装置において、好ましくは、保護カバーの正面部分には、締結部材により正面部分をインバータ装置本体部に固定するための締結用孔部が設けられている。このように構成すれば、保護カバーが、インバータ装置本体部の正面を覆う正面部分と、天面を覆う天面部分と、一方側面を覆う一方側面部分と、他方側面を覆う他方側面部分とを一体的に含むことにより、保護カバーの大きさ（重量）が比較的大きくなるために係合部同士の係合では固定が不十分な場合にも締結用孔部を介して締結部材により保護カバーをインバータ装置本体部に強固に固定することができる。これにより、振動などに起因して、比較的重量の大きい保護カバーがインバータ装置本体部から脱落するのを効果的に抑制することができる。
【００１５】
上記一の局面によるインバータ装置において、好ましくは、保護カバーの一方側面部分および他方側面部分のうちの少なくとも一方には、側面部分開口部が設けられている。このように構成すれば、保護カバーをインバータ装置本体部に取付けた状態で、側面部分開口部を介して、インバータ装置本体部の一方側面および他方側面のうちの少なくとも一方に貼付された製造番号や定格などが記載されたシールを容易に確認することができる。
【００１６】
上記一の局面によるインバータ装置において、好ましくは、保護カバーの正面部分には、インバータ装置本体部の操作部を露出させる操作部用開口部が設けられている。このように構成すれば、保護カバーをインバータ装置本体部に取付けた状態で、操作部を操作することができる。
【００１７】
上記一の局面によるインバータ装置において、好ましくは、インバータ装置本体部と、保護カバーの一方側面部分および他方側面部分のうちの少なくとも一方との間には、隙間が設けられている。このように構成すれば、保護カバーの一方側面部分および他方側面部分のうちの少なくとも一方の外部から衝撃が加えられた場合でも、隙間により衝撃の一部が吸収されるので（すなわち、隙間により保護カバーが撓むことによって衝撃の一部が吸収されるので）、隙間がない場合と比べて、外部の衝撃からインバータ装置本体部をより効果的に保護することができる。
【発明の効果】
【００１８】
本発明によれば、上記のように、保護カバーの部品点数が増加するのを抑制するとともに、保護カバーの取付作業性を向上させることができる。
【図面の簡単な説明】
【００１９】
【図１】本発明の一実施形態によるインバータ装置の斜視図である。
【図２】本発明の一実施形態によるインバータ装置の分解斜視図である。
【図３】図２の部分拡大図である。
【図４】本発明の一実施形態によるインバータ装置の保護カバーの斜視図（１）である。
【図５】本発明の一実施形態によるインバータ装置の保護カバーの斜視図（２）である。
【図６】図５の部分拡大図である。
【図７】本発明の一実施形態によるインバータ装置の断面図である。
【図８】図７の部分拡大図である。
【発明を実施するための形態】
【００２０】
以下、本発明を具体化した実施形態を図面に基づいて説明する。
【００２１】
図１〜図８を参照して、本実施形態によるインバータ装置１００の構成について説明する。
【００２２】
（インバータ装置の構成）
図１および図２に示すように、インバータ装置１００は、インバータ装置本体部１０を備えている。インバータ装置本体部１０の正面１１（Ｙ１方向側の面）には、インバータ装置１００を操作するための操作部１１ａが設けられている。操作部１１ａは、操作ボタン１１ｂや、表示部１１ｃを有する。また、図２に示すように、操作部１１ａは、インバータ装置本体部１０の正面１１の上方側（Ｚ１方向側）に設けられている。また、インバータ装置本体部１０の正面１１には、外部からインバータ装置１００を制御するための制御端子１１ｄが設けられている。また、インバータ装置本体部１０の正面１１には、後述するねじ３０が螺合されるねじ孔１１ｅが設けられている。また、インバータ装置本体部１０の正面１１には、コネクタ（図示せず）が接続されるコネクタ接続部１１ｆが設けられている。なお、ねじ孔１１ｅは、特許請求の範囲の「締結用孔部」の一例である。また、ねじ３０は、特許請求の範囲の「締結部材」の一例である。
【００２３】
インバータ装置本体部１０の天面１２には、インバータ装置本体部１０の内部に存在する空気の放熱（通風）のための複数のスリット１２ａが設けられている。スリット１２ａは、Ｘ方向に沿って延びるように設けられている。インバータ装置本体部１０の天面１２のうち、一方側面１３（Ｘ１方向側の側面）に接続される部分（天面１２のＸ１方向側の部分）には、段差部１２ｂが設けられている。段差部１２ｂにも、複数のスリット１２ｃが設けられている。なお、スリット１２ａおよびスリット１２ｃは、互いに異なる形状（面積）を有する。具体的には、スリット１２ａおよびスリット１２ｃは、平面視において、略矩形形状を有しており、スリット１２ａの長辺の長さは、スリット１２ｃの長辺の長さよりも大きい。
【００２４】
また、インバータ装置本体部１０の一方側面１３（Ｘ１方向側の側面）には、インバータ装置本体部１０の内部に存在する空気の放熱のための複数のスリット１３ａおよびスリット１３ｂが設けられている。スリット１３ａおよびスリット１３ｂは、それぞれ、一方側面１３のＺ１方向側の端部近傍およびＺ２方向側の端部近傍に設けられている。
【００２５】
また、インバータ装置本体部１０の他方側面１４（Ｘ２方向側の側面）のＺ１方向側の端部近傍にも、一方側面１３と同様に、インバータ装置本体部１０の内部に存在する空気の放熱のための複数のスリット１４ａ（Ｚ１方向側）が設けられている。また、インバータ装置本体部１０の他方側面１４のＺ２方向側の端部近傍にも、複数のスリット（図示せず）が設けられている。スリット１３ａ、スリット１３ｂおよびスリット１４ａは、Ｚ方向に沿って延びるように設けられている。
【００２６】
なお、スリット１３ａ、スリット１３ｂ、スリット１４ａ、図示しない他方側面１４に設けられるスリットは、互いに略同一の形状を有する。一方、天面部分２２のスリット（スリット１２ａ、スリット１２ｃ）と、一方側面１３および他方側面１４に設けられるスリット（スリット１３ａ、スリット１３ｂ、スリット１４ａ、図示しない他方側面１４のスリット）とは、互いに異なる形状（面積）を有する。具体的には、スリット１３ａ、スリット１３ｂ、スリット１４ａは、平面視において、略矩形形状（長方形形状）を有している。そして、スリット１３ａ、スリット１３ｂ、スリット１４ａおよび図示しない他方側面１４のスリットの長辺の長さは、天面部分２２のスリット１２ａの長辺の長さよりも小さく、天面部分２２のスリット１２ｃの長辺の長さよりも大きい。
【００２７】
ここで、本実施形態では、インバータ装置本体部１０の一方側面１３および他方側面１４には、それぞれ、後述する保護カバー２０の係合部２５に係合する係合部１５（係合部１５ａおよび１５ｂ）が設けられている。係合部１５は、一方側面１３および他方側面１４から、保護カバー２０がインバータ装置本体部１０に取り付けられる方向（Ｙ２方向）とは反対方向（Ｙ１方向）に突出するように設けられている。すなわち、インバータ装置本体部１０の係合部１５は、インバータ装置本体部１０の正面１１から前方（Ｙ１方向）に突出するように形成されている。また、図３に示すように、係合部１５は、略長方形形状でかつ板形状を有する。また、係合部１５の中央部には、保護カバー２０の係合部２５（図６参照）の凸部２５ｄが係合する凹部１５ｃが設けられている。凹部１５ｃは、平面視において略長方形形状を有し、Ｚ方向に延びるように形成されている。凹部１５ｃは、保護カバー２０の係合部２５の凸部２５ｄ（略三角柱形状）に係合するように、断面が略三角形形状（図８参照）を有する。また、係合部１５は、一方側面１３および他方側面１４の下方側（Ｚ２方向側）に設けられている。なお、係合部１５（係合部１５ａおよび１５ｂ）は、特許請求の範囲の「第２係合部」の一例である。また、係合部２５（係合部２５ａおよび２５ｂ）は、特許請求の範囲の「第１係合部」の一例である。
【００２８】
また、図２に示すように、インバータ装置本体部１０の後面１６（Ｙ２方向側）には、放熱部材１６ａが設けられている。放熱部材１６ａは、放熱性に優れたアルミニウム（Ａｌ）などの金属により形成されている。また、放熱部材１６ａには、複数のフィン１６ｂが設けられている。放熱部材１６ａは、インバータ装置本体部１０に設けられるＩＧＢＴ（Ｉｎｓｕｌａｔｅｄ  Ｇａｔｅ  Ｂｉｐｏｌａｒ  Ｔｒａｎｓｉｓｔｏｒ）などのスイッチング素子からの熱を放熱するように構成されている。
【００２９】
また、インバータ装置１００は、インバータ装置本体部１０を覆う保護カバー２０を備えている。保護カバー２０は、たとえば樹脂により形成されている。ここで、本実施形態では、保護カバー２０は、インバータ装置本体部１０の正面１１を覆う正面部分２１と、天面１２を覆う天面部分２２と、一方側面１３を覆う一方側面部分２３と、他方側面１４を覆う他方側面部分２４とを一体的に含む。すなわち、従来のインバータ装置本体部の正面（制御端子）を覆う正面カバー部材に連続するように、天面部分２２、一方側面部分２３および他方側面部分２４が形成されている。
【００３０】
図２、図４および図５に示すように、保護カバー２０の正面部分２１は、インバータ装置本体部１０の正面１１に設けられる制御端子１１ｄを覆うように構成されている。また、本実施形態では、保護カバー２０の正面部分２１には、ねじ３０により正面部分２１をインバータ装置本体部１０に固定するための孔部２１ａが設けられている。すなわち、ねじ３０が正面部分２１の孔部２１ａを介して、インバータ装置本体部１０のねじ孔１１ｅに螺合されることにより、保護カバー２０がインバータ装置本体部１０に固定される。また、図５に示すように、孔部２１ａは、インバータ装置本体部１０側に突出する円柱形状の部分２１ｄに設けられている。
【００３１】
また、図２に示すように、保護カバー２０の正面部分２１には、インバータ装置本体部１０の操作部１１ａを露出させる開口部２１ｂが設けられている。具体的には、開口部２１ｂは、正面部分２１の上方側（Ｚ１方向側）に設けられている。また、開口部２１ｂは、正面部分２１と、天面部分２２と、一方側面部分２３と、他方側面部分２４とに跨るように設けられている。詳細には、開口部２１ｂは、正面部分２１をＹ方向に沿って切り欠くとともに、天面部分２２をＺ方向に沿って切り欠くように形成されている。また、開口部２１ｂは、一方側面部分２３と、他方側面部分２４とを、Ｚ方向に対して傾斜する方向に切り欠くように形成されている。これにより、インバータ装置本体部１０に保護カバー２０を取り付けた状態（図１参照）で、インバータ装置本体部１０の操作部１１ａ、天面１２のＹ１方向側の部分、一方側面１３および他方側面１４のＹ１方向側（Ｚ１方向側）の部分が、開口部２１ｂから露出する。なお、開口部２１ｂは、特許請求の範囲の「操作部用開口部」の一例である。
【００３２】
また、図２に示すように、保護カバー２０の正面部分２１には、インバータ装置本体部１０の正面１１のコネクタ接続部１１ｆに対応する位置に、開口部２１ｂに連通する切欠き２１ｃが設けられている。切欠き２１ｃには、コネクタ接続部１１ｆを露出させるための取り外し可能な窓部３１（図１参照）が取り付けられる。
【００３３】
また、本実施形態では、保護カバー２０の天面部分２２、一方側面部分２３、他方側面１４のうちの少なくとも天面部分２２は、インバータ装置本体部１０の天面１２に設けられる放熱用のスリット１２ａおよびスリット１２ｃを覆うように構成されている。具体的には、図１に示すように、天面部分２２は、スリット１２ａ（インバータ装置本体部１０の天面１２）に対して、距離ｄ１を隔てた状態（または、接触した状態）で、スリット１２ａを上方（Ｚ１方向）から覆うように構成されている。また、天面部分２２は、スリット１２ｃに対して、距離ｄ１よりも大きい距離ｄ２を隔てた状態で、スリット１２ｃを上方から覆うように構成されている。また、天面部分２２は、複数のスリット１２ａおよび複数のスリット１２ｃの全てを上方から覆うように構成されている。また、天面部分２２は、インバータ装置本体部１０の天面１２のＹ１方向側の部分は覆わない。
【００３４】
また、保護カバー２０の一方側面部分２３には、Ｚ方向に延びる複数のスリット２３ａが設けられている。スリット２３ａは、インバータ装置本体部１０の一方側面１３のＺ１方向側に設けられる放熱用のスリット１３ａに対応する部分に設けられている。すなわち、インバータ装置本体部１０のスリット１３ａは、保護カバー２０の一方側面部分２３に覆われない。一方、保護カバー２０の一方側面部分２３は、インバータ装置本体部１０の一方側面１３のＺ２方向側に設けられる放熱用のスリット１３ｂを覆うように構成されている。なお、スリット２３ａは、平面視において、略矩形形状（長方形形状）を有する。また、スリット２３ａの長辺および短辺の長さは、一方側面１３のスリット１３ａの長辺および短辺の長さに略等しい。
【００３５】
ここで、本実施形態では、保護カバー２０の一方側面部分２３には、開口部２３ｂが設けられている。開口部２３ｂは、インバータ装置本体部１０の一方側面１３に貼付されたインバータ装置１００の製造番号や定格などが記載されたシール３２を露出するように（図１参照）設けられている。また、開口部２３ｂは、一方側面部分２３の中央部近傍に設けられており、略矩形形状を有する。なお、開口部２３ｂは、特許請求の範囲の「側面部分開口部」の一例である。
【００３６】
また、図４および図５に示すように、保護カバー２０の他方側面部分２４には、一方側面部分２３と同様に、Ｚ方向に延びるスリット２４ａが設けられている。スリット２４ａは、インバータ装置本体部１０の他方側面１４のＺ１方向側に設けられる放熱用のスリット１４ａに対応する部分に設けられている。すなわち、インバータ装置本体部１０のスリット１４ａは、保護カバー２０の他方側面部分２４に覆われない。一方、保護カバー２０の他方側面部分２４はインバータ装置本体部１０の他方側面１４のＺ２方向側に設けられる放熱用のスリット（図示せず）を覆うように構成されている。
【００３７】
ここで、本実施形態では、図５〜図７に示すように、保護カバー２０は、インバータ装置本体部１０に係合する係合部２５を有する。図７に示すように、係合部２５（係合部２５ａ）は、保護カバー２０の正面部分２１の裏面側（インバータ装置本体部１０）と一方側面部分２３の裏面側との境界近傍（隅部２６ａ近傍）に設けられている。係合部２５（係合部２５ｂ）は、保護カバー２０の正面部分２１の裏面側と他方側面部分２４の裏面側との境界近傍（隅部２６ｂ近傍）に設けられている。
【００３８】
また、図６に示すように、係合部２５は、隅部２６ａ（隅部２６ｂ）に設けられた略矩形形状の凹部２５ｃと、凹部２５ｃの中央部近傍に設けられた略三角柱形状の凸部２５ｄとを含む。係合部２５は、インバータ装置本体部１０の係合部１５に対応する位置に設けられている。また、係合部２５の凹部２５ｃは、インバータ装置本体部１０の係合部１５に対応する形状（略矩形形状）を有する。そして、この係合部２５の凸部２５ｄと、インバータ装置本体部１０の係合部１５の凹部１５ｃとが係合される（凸部２５ｄに凹部１５ｃが嵌め込まれる）ことにより、保護カバー２０がインバータ装置本体部１０に取り付けられる。
【００３９】
また、本実施形態では、図７に示すように、インバータ装置本体部１０と、保護カバー２０の一方側面部分２３および他方側面部分２４のうちの少なくとも一方との間には、隙間２７が設けられている。具体的には、インバータ装置本体部１０と、保護カバー２０の一方側面部分２３および他方側面部分２４の両方との間に、隙間２７（隙間２７ａ、隙間２７ｂ）が設けられている。保護カバー２０の一方側面部分２３および他方側面部分２４は、Ｙ２方向に向かって厚みｔが徐々に小さくなるテーパ形状を有する。これにより、インバータ装置本体部１０と、保護カバー２０の一方側面部分２３および他方側面部分２４との間の隙間２７の幅Ｗは、Ｙ２方向に向かって徐々に大きくなる。
【００４０】
また、図２に示すように、インバータ装置本体部１０の下面１７（Ｚ２方向側の面）には、Ｕ字形状に折り曲げられた板金製の板金部材４０が取り付けられている。板金部材４０には、孔部４０ａが設けられている。孔部４０ａは、インバータ装置本体部１０から延びる配線（図示せず）が貫通するように構成されている。また、板金部材４０の正面側（Ｙ１方向側）には、Ｕ字形状に折り曲げられた板金製の板金部材４１が取り付けられている。板金部材４１には、複数のスリット４１ａが設けられている。板金部材４１は、インバータ装置本体部１０から延びる配線（図示せず）を保護する機能を有する。また、インバータ装置本体部１０の後面１６（Ｙ２方向側の面）には、板金製の板金部材４２が取り付けられている。
【００４１】
（保護カバーの取り付け方法）
まず、保護カバー２０をインバータ装置本体部１０に対して近づくように相対的に移動させる。これにより、保護カバー２０の係合部２５の凸部２５ｄと、インバータ装置本体部１０の係合部１５の凹部１５ｃとが係合される。その後、ねじ３０を、保護カバー２０の正面部分２１の孔部２１ａを介して、インバータ装置本体部１０のねじ孔１１ｅに螺合する。これにより、保護カバー２０がインバータ装置本体部１０に固定される。
【００４２】
（本実施形態の効果）
本実施形態では、以下のような効果を得ることができる。
【００４３】
本実施形態では、上記のように、保護カバー２０は、インバータ装置本体部１０の正面１１を覆う正面部分２１と、天面１２を覆う天面部分２２と、一方側面１３を覆う一方側面部分２３と、他方側面１４を覆う他方側面部分２４とを一体的に含む。これにより、１つの保護カバー２０によりインバータ装置本体部１０の正面１１、天面１２、一方側面１３および他方側面１４を覆うことができるので、保護カバー２０の部品点数が増加するのを抑制することができる。また、１つの保護カバー２０をインバータ装置本体部１０に取り付けるだけで、インバータ装置本体部１０の正面１１、天面１２、一方側面１３および他方側面１４を覆うことができるので、インバータ装置本体部１０の正面１１、天面１２、一方側面１３および他方側面１４にそれぞれ個別に保護カバー２０を取り付ける場合に比べて、保護カバー２０の取付作業性を向上させることができる。
【００４４】
また、本実施形態では、上記のように、保護カバー２０は、インバータ装置本体部１０に係合する係合部２５を有するとともに、インバータ装置本体部１０は、係合部２５に係合する係合部１５を有する。これにより、保護カバー２０の係合部２５をインバータ装置本体部１０の係合部１５に係合することにより、容易に、保護カバー２０をインバータ装置本体部１０に取り付けることができる。
【００４５】
また、本実施形態では、上記のように、インバータ装置本体部１０の係合部１５を、インバータ装置本体部１０の正面１１から前方に突出するように形成する。これにより、複数のスリット（スリット１２ａ、１２ｃ、１３ａ、１３ｂおよび１４ａ）に係合部２５を係合させて保護カバー２０を取り付ける場合と異なり、スリットの形状や大きさにかかわらず、係合部２５を係合部１５に係合させることにより、保護カバー２０をインバータ装置本体部１０に取り付けることができる。すなわち、インバータ装置１００の性能に応じて、放熱用のスリットを最適化（変形）させた場合でも、保護カバー２０の形状や大きさを変えずにインバータ装置本体部１０に取り付けることができる。また、インバータ装置本体部１０の正面１１から前方に突出する係合部１５を、保護カバー２０の係合部２５に係合させるだけで、インバータ装置本体部１０の正面１１、天面１２、一方側面１３および他方側面１４を覆うことができる。その結果、複数のスリットに個別に保護カバー２０を取り付ける場合と異なり、保護カバー２０の取り付け作業の作業性を向上させることができる。
【００４６】
また、本実施形態では、上記のように、保護カバー２０の正面部分２１は、インバータ装置本体部１０の正面１１に設けられる制御端子１１ｄを覆うとともに、保護カバー２０の天面部分２２、一方側面部分２３、他方側面部分２４のうちの少なくとも天面部分２２は、インバータ装置本体部１０に設けられる放熱用のスリット（スリット１２ａ、スリット１２ｃ）を覆う。これにより、単一の保護カバー２０の正面部分２１により、制御端子１１ｄを外部からの衝撃から保護できるとともに、少なくとも天面部分２２により、異物が上方から放熱用のスリット（スリット１２ａ、スリット１２ｃ）を介してインバータ装置本体部１０に侵入するのを抑制することができる。
【００４７】
また、従来のインバータ装置本体部１０の正面１１（制御端子１１ｄ）を覆う正面カバー部材に連続するように天面部分２２、一方側面部分２３および他方側面部分２４を形成することによって、容易に、本実施形態の正面部分２１、天面部分２２、一方側面部分２３および他方側面部分２４を一体的に含む保護カバー２０を形成することができる。
【００４８】
また、本実施形態では、上記のように、保護カバー２０の正面部分２１に、ねじ３０により正面部分２１をインバータ装置本体部１０に固定するための孔部２１ａを設ける。これにより、保護カバー２０が、インバータ装置本体部１０の正面１１を覆う正面部分２１と、天面１２を覆う天面部分２２と、一方側面１３を覆う一方側面部分２３と、他方側面１４を覆う他方側面部分２４とを一体的に含むことにより、保護カバー２０の大きさ（重量）が比較的大きくなるために係合部１５および２５同士の係合では固定が不十分な場合にも孔部２１ａを介してねじ３０により保護カバー２０をインバータ装置本体部１０に強固に固定することができる。これにより、振動などに起因して、比較的重量の大きい保護カバー２０がインバータ装置本体部１０から脱落するのを効果的に抑制することができる。
【００４９】
また、本実施形態では、上記のように、保護カバー２０の一方側面部分２３および他方側面部分２４のうちの少なくとも一方に、開口部２３ｂを設ける。これにより、保護カバー２０をインバータ装置本体部１０に取付けた状態で、開口部２３ｂを介して、インバータ装置本体部１０の一方側面１３および他方側面１４のうちの少なくとも一方に貼付された製造番号や定格などが記載されたシール３２を容易に確認することができる。
【００５０】
また、本実施形態では、上記のように、保護カバー２０の正面部分２１に、インバータ装置本体部１０の操作部１１ａを露出させる開口部２１ｂを設ける。これにより、保護カバー２０をインバータ装置本体部１０に取付けた状態で、操作部１１ａを操作することができる。
【００５１】
また、本実施形態では、上記のように、インバータ装置本体部１０と、保護カバー２０の一方側面部分２３および他方側面部分２４のうちの少なくとも一方との間に、隙間２７を設ける。これにより、保護カバー２０の一方側面部分２３および他方側面部分２４のうちの少なくとも一方の外部から衝撃が加えられた場合でも、隙間２７により衝撃の一部が吸収されるので（すなわち、隙間２７により保護カバー２０が撓むことによって衝撃の一部が吸収されるので）、隙間２７がない場合と比べて、外部の衝撃からインバータ装置本体部１０をより効果的に保護することができる。
【００５２】
[変形例]
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更（変形例）が含まれる。
【００５３】
たとえば、上記実施形態では、保護カバー２０に凸部２５ｄが設けられ、インバータ装置本体部１０に凹部１５ｃが設けられる例について示したが、本発明はこれに限られない。たとえば、保護カバー２０に凹部を設け、インバータ装置本体部１０に凸部を設けてもよい。
【００５４】
また、上記実施形態では、保護カバー２０の一方側面部分２３（他方側面部分２４）が、インバータ装置本体部１０の一方側面１３（他方側面１４）のＺ１方向側の設けられるスリット１３ａ（スリット１４ａ）を覆わずに、Ｚ２方向側の設けられるスリット１３ｂ（図示しないスリット）を覆うように構成されている例について示したが、本発明はこれに限られない。たとえば、保護カバー２０の一方側面部分２３および他方側面部分２４が、インバータ装置本体部１０の一方側面１３（他方側面１４）に設けられる全てのスリットを覆うように構成してもよいし、全てのスリット覆わないように構成してもよい。
【００５５】
また、上記実施形態では、ねじ３０により、保護カバー２０の正面部分２１をインバータ装置本体部１０に固定する例について示したが、本発明はこれに限られない。たとえば、ねじ３０以外の部材により、保護カバー２０の正面部分２１をインバータ装置本体部１０に固定してもよい。
【００５６】
また、上記実施形態では、保護カバー２０の一方側面部分２３に、製造番号や定格などが記載されたシール３２を露出する開口部２３ｂが設けられている例について示したが、本発明はこれに限られない。たとえば、保護カバー２０の他方側面部分２４に、製造番号や定格などが記載されたシール３２を露出する開口部を設けてもよい。
【００５７】
また、上記実施形態では、操作部１１ａを露出させる開口部２１ｂが、正面部分２１と、天面部分２２と、一方側面部分２３と、他方側面部分２４とに跨るように設けられている例について示したが、本発明はこれに限られない。たとえば、操作部１１ａを露出させる開口部２１ｂが、正面部分２１のみに設けられていてもよい。
【００５８】
また、上記実施形態では、操作部１１ａを露出させる開口部２１ｂが、正面部分２１の上方側（Ｚ１方向側）に設けられている例について示したが、本発明はこれに限られない。たとえば、操作部１１ａがインバータ装置本体部１０の正面１１の中央部や下方に設けられている場合には、操作部１１ａを露出させる開口部２１ｂは、操作部１１ａの位置に対応する位置（中央部、下方）に設けられる。
【００５９】
また、上記実施形態では、インバータ装置本体部１０と、保護カバー２０の一方側面部分２３および他方側面部分２４の両方との間に、隙間２７が設けられている例について示したが、本発明はこれに限られない。たとえば、インバータ装置本体部１０と、保護カバー２０の一方側面部分２３または他方側面部分２４のうちの一方との間にのみ、隙間２７が設けられていてもよい。
【符号の説明】
【００６０】
１０  インバータ装置本体部
１１  正面
１１ａ  操作部
１１ｄ  制御端子
１１ｅ  孔部（締結用孔部）
１２  天面
１２ａ、１２ｃ  スリット
１３  一方側面
１４  他方側面
１５、１５ａ、１５ｂ  係合部（第１係合部）
２０  保護カバー
２１  正面部分
２１ｂ  開口部（操作部用開口部）
２２  天面部分
２３  一方側面部分
２３ｂ  開口部（側面部分開口部）
２４  他方側面部分
２５、２５ａ、２５ｂ  係合部（第２係合部）
２７（２７ａ、２７ｂ）  隙間
３０  ねじ（締結部材）
１００  インバータ装置
【図１】
0006657849.tif 000002
【図２】
0006657849.tif 000003
【図３】
0006657849.tif 000004
【図４】
0006657849.tif 000005
【図５】
0006657849.tif 000006
【図６】
0006657849.tif 000007
【図７】
0006657849.tif 000008
【図８】
0006657849.tif 000009